(57)【要約】      （修正有）【課題】外部装置に専用の通信インタフェイスを設けることなく、オーディオ入出力端子を利用したシリアル通信を複数の外部装置との間で行うことができる中継装置を提供する。【解決手段】携帯情報端末２と、ＲＳ２３２Ｃ方式の通信機能を有する複数の外部装置４との間に中継装置４０を設ける。オーディオケーブル７はシリアル通信用の通信端子としても利用し、操作入力部１４からオーディオ入出力端子２０を使った通信指令がされると、外部の通信機器間でシリアル通信を開始する。中継装置４０は、携帯情報端末２からの送信データを受信して元のデータを復元する非同期シリアルパラレル変換部を備え、復元されたデータのヘッダからデータの転送先となる外部装置４を特定し、中継装置４０内の通信部の１つを選択して、データを転送させる。外部装置４からの送信データを、パラレルシリアル変換部にてバイフェーズ符号に変換させ、携帯情報端末２に送信させる。【選択図】図１
2015136009.tif 000002
【特許請求の範囲】
【請求項１】
オーディオ入出力端子及び該オーディオ入出力端子を介してシリアル通信可能な通信手段を備えた携帯情報端末と、通信機能を有する複数の外部装置とに、オーディオケーブル及び所定の通信ケーブルを介してそれぞれ接続され、前記携帯情報端末と前記複数の外部装置との間のデータ通信を中継する中継装置であって、
前記携帯情報端末の前記オーディオ入出力端子から前記オーディオケーブルを介してシリアル送信されてきた端末側データの中から、当該端末側データを転送すべき外部装置を表す送信先情報を抽出し、該抽出した送信先情報に基づき、前記複数の外部装置の中から、当該端末側データを転送すべき外部装置を特定する転送先特定手段と、
前記転送先特定手段にて選択された外部装置に、前記端末側データを転送する転送手段と、
前記各外部装置から送信されてきた通信データを、所定のシリアルデータに変換し、該シリアルデータを前記オーディオケーブルを介して前記携帯情報端末のオーディオ入出力端子に送信する送信手段と、
を備えたことを特徴とする中継装置。
【請求項２】
前記送信手段は、前記各外部装置から送信されてきた通信データを、１ビット毎にビット時間の中央で極性が反転するバイフェーズ符号に変換し、該バイフェーズ符号を前記シリアルデータとして、前記携帯情報端末のオーディオ入出力端子に送信することを特徴とする請求項１に記載の中継装置。
【請求項３】
前記携帯情報端末は、１ビット毎にビット時間の中央で極性が反転するバイフェーズ符号を、前記端末側データとして、前記オーディオ入出力端子からシリアル送信するよう構成されており、
前記転送先特定手段は、前記携帯情報端末の前記オーディオ入出力端子から前記オーディオケーブルを介してシリアル送信されてきた前記端末側データを、前記バイフェーズ符号から、１ビット毎に値が特定された２値データに変換して、前記送信先情報を抽出する、ことを特徴とする請求項１又は請求項２に記載の中継装置。
【請求項４】
当該中継装置には、前記携帯情報端末及び前記複数の外部装置をそれぞれ接続するための通信端子としてＲＳ２３２Ｃ端子が備えられており、
前記携帯情報端末に接続するためのＲＳ２３２Ｃ端子には、前記オーディオケーブルをＲＳ２３２Ｃケーブルにケーブル変換するケーブル変換器を介して、前記ＲＳ２３２Ｃケーブルが接続されていることを特徴とする請求項１〜請求項３の何れか１項に記載の中継装置。
【発明の詳細な説明】
【技術分野】
【０００１】
本発明は、オーディオ入出力端子を利用してシリアル通信が可能な携帯情報端末と、通信機能を有する複数の外部装置との間のデータ通信を中継する中継装置に関する。
【背景技術】
【０００２】
携帯電話やスマートフォン等の携帯情報端末には、イヤホンを利用して通話したり音楽を聞いたりできるように、オーディオ入出力端子が備えられている。
そして、この種の携帯情報端末においては、オーディオ出力端子を利用して、外部装置との間でシリアル通信できるようにすることが提案されている（例えば、特許文献１、２参照）。
【先行技術文献】
【特許文献】
【０００３】
【特許文献１】特開２０１２−２７８２７号公報
【特許文献２】特開２０１２−１９４９３１号公報
【発明の概要】
【発明が解決しようとする課題】
【０００４】
上記提案の通信システムでは、携帯情報端末のオーディオ入出力端子と外部装置とをオーディオケーブルを介して接続し、これら装置間で通信データ（オーディオデータ）を直接送受信する。
【０００５】
このため、携帯情報端末とデータ通信する外部装置には、オーディオデータを送受信可能な専用のインタフェイスを設ける必要があり、専用のインタフェイスを備えていない外部装置と携帯情報端末との間では通信を行うことができなかった。
【０００６】
また、上記提案の通信システムは、携帯情報端末と外部装置とによる１対１通信はできるものの、携帯情報端末のオーディオ入出力端子及びオーディオケーブルを介して、例えば、プリンタ、スキャナ、カメラ…といった複数の情報機器と携帯情報端末との間で通信させることはできなかった。
【０００７】
本発明は、こうした問題に鑑みなされたものであり、オーディオ入出力端子を利用してシリアル通信が可能な携帯情報端末において、外部装置にシリアル通信用のインタフェイスを設けることなく、オーディオ入出力端子を利用したシリアル通信を複数の外部装置との間で行うことができるようにすることを目的とする。
【課題を解決するための手段】
【０００８】
かかる目的を達成するためになされた請求項１に記載の発明は、オーディオ入出力端子及びこのオーディオ入出力端子を介してシリアル通信可能な通信手段を備えた携帯情報端末と、通信機能を有する複数の外部装置とに、オーディオケーブル及び所定の通信ケーブルを介してそれぞれ接続され、携帯情報端末と複数の外部装置との間のデータ通信を中継する中継装置である。
【０００９】
そして、本発明の中継装置においては、転送先特定手段が、携帯情報端末のオーディオ入出力端子（詳しくはオーディオ出力端子）からオーディオケーブルを介してシリアル送信されてきた端末側データの中から、端末側データを転送すべき外部装置を表す送信先情報を抽出し、その抽出した送信先情報に基づき、複数の外部装置の中から、当該端末側データを転送すべき外部装置を特定する。
【００１０】
すると、転送手段が、転送先特定手段にて特定された外部装置に、携帯情報端末から送信されてきた端末側データを転送する。
このため、本発明の中継装置は、携帯情報端末が送信する端末側データに通信相手となる外部装置を特定する送信先情報を含めるようにすれば、本発明の中継装置が、所謂ハブとして働き、携帯情報端末と複数の外部装置とによる１対多通信を実現できる。
【００１１】
また、本発明の中継装置には、各外部装置から送信されてきた通信データを、所定のシリアルデータに変換し、その変換したシリアルデータを、オーディオケーブルを介して携帯情報端末のオーディオ入出力端子に送信する送信手段も設けられているので、携帯情報端末と複数の外部装置との間で双方向通信を行うことができる。
【００１２】
ここで、本発明の中継装置と携帯情報端末との間の通信は、携帯情報端末のオーディオ入出力端子とオーディオケーブルを利用して行われることから、通信ケーブルを利用した一般的なシリアル通信のように直流成分を伝送することはできない。
【００１３】
このため、シリアルデータの送信側から、送信データの各ビット値「１」、「０」を、ハイレベル、ローレベルとした２値信号をそのまま送信すると、受信側で、受信信号を２値化してデータを復元するのに必要な閾値レベルを、ハイ・ローの中間レベルに設定することができず、送信データを正確に復元できないことがある。
【００１４】
つまり、受信側で、受信信号からデータを復元する際には、受信信号のハイレベルとローレベルとの間の中間電位を閾値レベルとして設定し、受信信号の信号レベルが閾値レベルよりも高いか低いかにより、受信信号を「１」又は「０」の２値データに変換することになる。
【００１５】
この場合、図９（ａ）に例示するように、受信信号のハイレベル（値１）とローレベル（値０）との比率が同じであれば、閾値レベルは、受信信号のハイレベルとローレベルとの間の中心電位となって、受信信号から受信データを正確に復元できる。
【００１６】
しかし、受信信号のハイレベル（値１）とローレベル（値０）との比率が異なり、図９（ｂ）に示すように、ハイレベル（値１）の比率が多くなると、閾値レベルがハイレベルに近い電位となる。また、逆に、図９（ｃ）に示すように、ローレベル（値０）の比率が多くなると、閾値レベルがローレベルに近い電位となる。
【００１７】
このため、受信信号のハイレベル（値１）とローレベル（値０）との比率が異なる場合には、受信信号を２値化するための閾値レベルを適正に設定することができず、受信信号を２値化する際に誤差が生じて、受信データを正確に復元できないことがある。
【００１８】
この問題を防止するには、送信手段は、請求項２に記載のように、各外部装置から送信されてきた通信データを、１ビット毎にビット時間の中央で極性が反転するバイフェーズ符号（例えば、マンチェスタ符号、ＣＭＩ（code mark inversion）符号等）に変換し、そのバイフェーズ符号をシリアルデータとして、携帯情報端末のオーディオ入出力端子に送信するように構成するとよい。
【００１９】
また、携帯情報端末についても、請求項３に記載のように、１ビット毎にビット時間の中央で極性が反転するバイフェーズ符号を、端末側データとして、オーディオ入出力端子からシリアル送信するよう構成し、転送先特定手段は、携帯情報端末のオーディオ入出力端子からオーディオケーブルを介してシリアル送信されてきた端末側データを、バイフェーズ符号から、１ビット毎に値が特定された２値データに変換して、送信先情報を抽出するように構成するとよい。
【００２０】
つまり、送信手段を請求項２に記載のように構成し、転送先特定手段を、請求項３に記載のように構成すれば、送信データの内容によらず、携帯情報端末と中継装置との間で送受信される信号を、ハイレベルとローレベルとの比率が同じ信号にすることができ、中継装置側及び携帯情報端末側では、受信信号からデータを正確に復元することができるようになる。
【００２１】
また、請求項４に記載の中継装置のように、携帯情報端末及び複数の外部装置をそれぞれ接続するための通信端子として、ＲＳ２３２Ｃ端子が備えられている場合には、携帯情報端末に接続するためのＲＳ２３２Ｃ端子に、携帯情報端末のオーディオ入出力端子に接続されたオーディオケーブルをＲＳ２３２Ｃケーブルにケーブル変換するケーブル変換器を介して、ＲＳ２３２Ｃケーブルを接続するようにすればよい。
【図面の簡単な説明】
【００２２】
【図１】実施形態の通信システム全体の構成を表すブロック図である。
【図２】携帯情報端末の構成を表すブロック図である。
【図３】中継装置の構成を表すブロック図である。
【図４】携帯情報端末と中継装置との間で送受信されるデータの構成を表す説明図である。
【図５】中継装置の制御回路の構成を表すブロック図である。
【図６】携帯情報端末から中継装置への送信信号及び中継装置側での２値化動作を説明するタイムチャートである。
【図７】制御回路にて実行される中継処理を表すフローチャートである。
【図８】通信システムの変形例を表すブロック図である。
【図９】送信データの値の比率によって受信側で生じる２値化誤差を説明する説明図である。
【発明を実施するための形態】
【００２３】
以下に本発明の実施形態を図面と共に説明する。
図１に示すように、本実施形態の通信システムは、携帯情報端末２と、複数の外部装置４と、携帯情報端末２と複数の外部装置４とを双方向通信可能に接続する中継装置４０と、を備える。
【００２４】
携帯情報端末２は、おもて面に、ＬＣＤ等からなる表示部１２、及び、操作ボタンやタッチパネル等にて構成される操作入力部１４が備えられ、操作入力部１４の操作ボタンが配置された下方内部に、音声入力用のマイクロフォン（マイク）１６が設けられ、マイク１６とは反対側の上方内部に、音声出力用のスピーカ１８及びオーディオ入出力端子２０が設けられた、携帯電話（詳しくはスマートフォン）である。
【００２５】
携帯情報端末２のオーディオ入出力端子２０は、オーディオプラグ６が差し込まれることにより、マイク１６及びスピーカ１８と内部回路との接続を遮断し、オーディオプラグ６から引き出されたオーディオケーブル７を介して音声信号を入出力するための周知のものである。
【００２６】
そして、本実施形態では、オーディオケーブル７を利用したシリアル通信用の通信端子としても利用される。
すなわち、図２に示すように、携帯情報端末２には、上記各部に加えて、アンテナ２２を介して携帯電話回線を利用した無線通信を行う無線通信部２４、外部機器からデータを直接入出力するためのデータ入出力端子２６、コンピュータ（ＣＰＵ）からなる制御部３０、マイク１６やオーディオ入出力端子２０を介して入力される音声信号をオーディオデータに変換して制御部３０に入力するオーディオ入力部３２、制御部３０から出力されるオーディオデータを音声信号に変換して出力するオーディオ出力部３４、オーディオ入出力端子２０にオーディオプラグ６が差し込まれると、オーディオ入力部３２及びオーディオ出力部３４へのマイク１６及びスピーカ１８の接続を遮断して、オーディオ入力部３２及びオーディオ出力部３４にオーディオ入出力端子２０を接続する経路切換部３６、及び、バッテリを備えた電源部２８、が設けられている。なお、電源部２８のバッテリには、データ入出力端子２６に接続された外部機器から充電可能である。
【００２７】
そして、制御部３０は、オーディオ入出力端子２０に、オーディオプラグ６及びオーディオケーブル７を介して中継装置４０等の外部の通信機器が接続され、操作入力部１４からオーディオ入出力端子２０を使った通信指令が入力されると、外部の通信機器との間でシリアル通信を開始する。
【００２８】
なお、制御部３０は、シリアル通信を開始することで、外部の通信機器がプリンタ、表示装置、オーディオ機器等の情報出力装置であれば、携帯情報端末２に蓄積された画像、動画、楽音等の情報を通信用のシリアルデータに変換して送信し、外部の情報機器が、スキャナ、バードリーダ、カードリーダ等の情報入力装置であれば、情報入力装置から送信されてくるシリアルデータを受信し、このシリアルデータから元の入力情報を復元して、不揮発性メモリ等の記憶媒体に記憶する。
【００２９】
次に、外部装置４は、米国電子工業会（ＥＩＡ）によって標準化されたシリアルインタフェイスの規格であるＲＳ２３２Ｃ（Recommended Standard 232 version C）に準拠した通信インタフェイスを有するＲＳ２３２Ｃ機器であり、プリンタ、表示装置、オーディオ機器等の情報出力装置、スキャナ、バードリーダ、カードリーダ等の情報入力装置、若しくは、パーソナルコンピュータ等の情報処理装置にて構成される。
【００３０】
一方、中継装置４０は、携帯情報端末２と複数の外部装置４とを双方向通信可能に接続するものであるため、オーディオケーブル７を接続するための接続端子Ｔａ、複数の外部装置４を通信ケーブル８（ＲＳ２３２Ｃケーブル）を介して接続するための４つの接続端子（ＲＳ２３２Ｃ端子）Ｔ１〜Ｔ４を備える。
【００３１】
また、中継装置４０には、音波若しくは音波周波数帯の信号を使って無線若しくは有線による双方向通信を行う音波通信装置５を、オーディオケーブル７を介して携帯情報端末２に接続できるようにするため、音波通信装置５の通信信号（音波信号）の入出力端子に接続するための接続端子Ｔｃも備えられている。
【００３２】
そして、中継装置４０内には、図３に示すように、携帯情報端末２から送信されてきた端末側データを受信した際、そのデータの転送先を、４つの外部装置４及び音波通信装置５の中から選択し、各外部装置４から送信されてきた外部データを携帯情報端末２に転送するための制御回路５０が設けられている。
【００３３】
なお、制御回路５０は、マイクロコンピュータにて構成されており、接続端子（ＲＳ２３２Ｃ端子）Ｔ１〜Ｔ４に接続された外部装置４を、チャンネル１（ＣＨ１）からチャンネル４（ＣＨ４）の外部装置として認識する。
【００３４】
また、制御回路５０の非同期シリアル入力ポートＰｉｎ及びシリアル出力ポートＰｏｕｔと、接続端子Ｔａとの間には、携帯情報端末２からの端末側データを制御回路５０に入力し、制御回路５０から携帯情報端末２への送信データを携帯情報端末２に送信するためのシリアルデータ入出力回路４２が設けられている。
【００３５】
ところで、携帯情報端末２のオーディオ入出力端子２０、オーディオプラグ６及びオーディオケーブル７には、携帯情報端末２から左右（Ｌ・Ｒ）のステレオ音声を出力できるように、左右（Ｌ・Ｒ）２系統の出力経路が存在する。
【００３６】
このため、中継装置４０の接続端子Ｔａには、携帯情報端末２のオーディオ入力に対応した送信データ出力用の端子と、携帯情報端末２のオーディオ（Ｌ）出力に対応した受信データ入力用の端子に加えて、携帯情報端末２のオーディオ（Ｒ）出力に対応した端子が設けられている。
【００３７】
そして、携帯情報端末２からは、このオーディオ（Ｒ）出力に、電源供給信号として、一定周波数（例えば１ｋＨｚ）の連続信号（矩形波若しくはｓｉｎ波）を出力し、中継装置４０側では、整流・平滑回路４４にて、この連続信号を整流・平滑化することにより正・負の電源電圧（＋５Ｖ、−５Ｖ）を生成し、制御回路５０への電源供給を行うようにされている。
【００３８】
なお、シリアルデータ入出力回路４２は、携帯情報端末２のオーディオ（Ｌ）出力に対応した受信データ入力用の端子と制御回路５０の非同期シリアル入力ポートＰｉｎとを接続する直流信号成分遮断用のコンデンサＣ１と、制御回路５０の非同期シリアル入力ポートＰｉｎに電源電圧Ｖｃｃを分圧して印加する分圧抵抗Ｒ１、Ｒ２と、制御回路５０のシリアル出力ポートＰｏｕｔからの出力を分圧し、その分圧電圧を携帯情報端末２のオーディオ入力に出力する分圧抵抗Ｒ３、Ｒ４とにより構成されている。
【００３９】
また、音波通信装置５の接続端子Ｔｃは、音波通信装置５からの送信信号入力用の端子と、音波通信装置５への送信信号出力用の端子とにより構成されている。
そして、送信信号出力用の端子は、シリアルデータ入出力回路４２から携帯情報端末２へのオーディオ信号出力用の経路に直接接続され、送信信号入力用の端子は、信号経路を導通／遮断する切換スイッチ４６を介して、携帯情報端末２からシリアルデータ入出力回路４２へのオーディオ（Ｌ）信号入力用の経路に接続されている。
【００４０】
このように構成された本実施形態の通信システムにおいては、携帯情報端末２と中継装置４０とが携帯情報端末２のオーディオ入出力端子２０を介してシリアル通信するため、この通信経路で直流成分を伝送することはできない。
【００４１】
このため、携帯情報端末２と中継装置４０との間のデータ通信は、図４（ａ）に示すように、送信データ１ビット毎に、ビット値を反転させた反転ビットを付与することで、ビット時間の中央で極性が反転するバイフェーズ符号を生成し、これを１バイト（反転ビットを含む合計８ビット）毎に、スタートビット（値０）及びストップビット（値１）を挟んで送信するようにされている。
【００４２】
また、中継装置４０は、携帯情報端末２と複数の外部装置４及び音波通信装置５との間の通信を中継するものであるため、携帯情報端末２から中継装置４０への送信データには、図４（ｂ）に示すように、予め設定されたプリアンブルと、送信先を特定する送信先情報を含む種別情報とにより構成されるヘッダが付与される。
【００４３】
そして、中継装置４０の制御回路５０は、シリアルデータ入出力回路４２を介して入力される携帯情報端末２からの送信データ（バイフェーズ符号）から、元の送信データを復元し、その復元した送信データに付与されたヘッダから送信先情報を抽出して、このデータを転送すべき送信先を特定し、その特定した送信先が４つの外部装置４の何れかであれば、このデータを対応する外部装置４に転送する。
【００４４】
また、送信先が音波通信装置５であれば、切換スイッチ４６をオンして、携帯情報端末２と音波通信装置５との間で直接音波通信できるようにする。
また、制御回路５０は、外部装置４からの送信データは、それぞれ、上述したバイフェーズ符号に変換して、そのまま携帯情報端末２に送信する。
【００４５】
次に、このように動作する制御回路５０の構成を、図５を用いて説明する。
図５に示すように、制御回路５０は、ＣＰＵ５２、ＲＯＭ５４、ＲＡＭ５６及びこれらを接続するバスライン５８を中心とするマイクロコンピュータにて構成されている。
【００４６】
また、制御回路５０には、接続端子（ＲＳ２３２Ｃ端子）Ｔ１〜Ｔ４を介して接続されたＣＨ１〜ＣＨ４の外部装置４との間でＲＳ２３２Ｃに準拠したシリアル通信を行うための通信部６１〜６４、切換スイッチ４６を駆動（オン）するための切換信号出力部６６、非同期シリアル入力ポートＰｉｎに入力された携帯情報端末２からの送信信号（シリアルデータ）をパラレルデータに変換するための非同期シリアルパラレル変換部７０が備えられている。
【００４７】
また、制御回路５０には、通信部６１〜６４にて受信された外部装置４からの送信データ（パラレルデータ）を、上述したバイフェーズ符号からなるシリアルデータに変換し、シリアル出力ポートＰｏｕｔから携帯情報端末２に向けて送信させるシリアルパラレル変換部７２、及び、上述した制御回路５０内部の動作タイミングを決定するクロック信号を発生するクロック発生部７８、も備えられている。
【００４８】
この結果、シリアルパラレル変換部７２からは、図６に示すように、送信データ（バイフェーズ符号）に対応して、正・負方向に変化する送信信号が出力されることになる。そして、この送信信号の平均レベル（換言すれば、データ復元時の閾値レベル）は、送信信号の略中央になるので、携帯情報端末２側では、送信データ（バイフェーズ符号）を略正確に復元し、その復元した送信データ（バイフェーズ符号）から元の送信データを正確に復元できるようになる。
【００４９】
また、非同期シリアルパラレル変換部７０における受信信号のサンプリング周波数は、クロック発生部７８からのクロック信号に基づき、図６に一点鎖線で示すように、元の送信データ１ビット当たりに２回、受信信号をサンプリングできるように設定されている。
【００５０】
これは、データ１ビットのビット時間内に２回受信信号をサンプリングすることで、非同期シリアルパラレル変換部７０にて、そのサンプリング値の変化（１→０、０→１）から、各ビットのデータを正確に復元できるようにするためである。
【００５１】
なお、非同期シリアルパラレル変換部７０は、通常のＵＡＲＴ（Universal Asynchronous Receiver Transmitter）にて構成されており、データの復元等は、ソフトウェアにて実現される。そして、ＵＡＲＴは、受信データがバイフェーズ符号であるので、全ビットデータの誤り確認も行う。
【００５２】
次に、このように構成された制御回路５０において、ＣＰＵ５２が、ＲＯＭ５４内に記憶された制御プログラムに従い繰り返し実行する中継処理について説明する。
図７に示すように、この中継処理では、まずＳ１１０（Ｓはステップを表す）にて、非同期シリアルパラレル変換部７０により、携帯情報端末２から送信された端末側データが受信されたか否かを判断する。
【００５３】
そして、端末側データが受信されていれば、Ｓ１２０に移行して、その端末側データのヘッダに含まれる送信先情報を抽出し、送信先情報から、今回受信した端末側データの送信先を特定しＳ１３０に移行する。
【００５４】
Ｓ１３０では、Ｓ１２０にて特定された送信先が、ＣＨ１〜ＣＨ４の外部装置４の１つであるか否かを判断する。
そして、Ｓ１２０にて特定された送信先がＣＨ１〜ＣＨ４の外部装置４の１つであれば、Ｓ１４０に移行して、切換スイッチ４６をオフ状態にして、Ｓ１５０に移行し、今回受信した端末側データを、Ｓ１２０にて特定された送信先（ＣＨ１〜ＣＨ４の外部装置４の１つ）に対応する通信部（通信部６１〜６４の１つ）に出力することで、Ｓ１２０にて特定された転送の外部装置４に転送し、当該中継処理を終了する。
【００５５】
なお、当該中継処理の終了後、ＣＰＵ５２は、所定の待機時間経過後にＳ１１０に移行し、Ｓ１１０以降の処理を実行する。
一方、Ｓ１３０にて、Ｓ１２０にて特定された送信先はＣＨ１〜ＣＨ４の外部装置４ではない（換言すれば、音波通信装置５である）と判断されると、Ｓ１６０に移行して、切換スイッチ４６をオン状態にし、当該中継処理を終了する。
【００５６】
なお、切換スイッチ４６をオン状態にした後は、携帯情報端末２と音波通信装置５との間で、音声信号を利用した音波通信が行われる。また、切換スイッチ４６をオン状態にした後も、所定の待機時間が経過すると、Ｓ１１０以降の処理が実行される。
【００５７】
次に、Ｓ１１０にて、非同期シリアルパラレル変換部７０により、携帯情報端末２から送信された端末側データは受信されていないと判断された場合には、Ｓ１７０に移行し、今度は、通信部６１〜６４にて、ＣＨ１〜ＣＨ４の何れかの外部装置４から送信されてきた外部データが受信されたか否かを判断する。
【００５８】
Ｓ１７０にて、通信部６１〜６４にて外部データが受信されていないと判断された場合には、Ｓ１１０に移行し、逆に、通信部６１〜６４の何れかにて外部データが受信されたと判断された場合には、Ｓ１８０に移行する。
【００５９】
そして、Ｓ１８０では、通信部６１〜６４にて受信された外部データ（受信データ）をパラレルシリアル変換部７２に出力することで、受信データをシリアルデータ（バイフェーズ符号）に変換して携帯情報端末２に転送させ、当該中継処理を終了する。
【００６０】
以上説明したように、本実施形態の通信システムにおいては、中継装置４０が、携帯情報端末２と複数の通信機器（外部装置４、音波通信装置５）との間の通信を中継するハブとして機能する。
【００６１】
そして、携帯情報端末２は、オーディオ入出力端子２０を介して通信を行うことから、携帯情報端末２と中継装置４０との間の通信を、シリアルデータをそのまま送受信するのではなく、データ１ビット毎に反転データを付与することで、ビット時間の中央で電位が切り替わるバイフェーズ符号に変換して、送受信するようにしている。
【００６２】
この結果、携帯情報端末２及び中継装置４０において、これらの間で送受信されるデータを正確に復元することができるようになり、特に中継装置４０側では、その復元した携帯情報端末２からの送信データに基づき、そのデータの送信先を特定して、送信先がＲＳ２３２Ｃ機器である外部装置４であっても、携帯情報端末２からの送信データを正確に転送することができる。
【００６３】
また、外部装置４からの送信データも、バイフェーズ符号に変換して、携帯情報端末２に送信することができるので、外部装置４から携帯情報端末２へのデータ送信も良好に中継することができる。
【００６４】
また、更に、携帯情報端末２からのデータの送信先が、携帯情報端末２と直接し得る音波通信装置５である場合には、切換スイッチ４６をオン状態にして、携帯情報端末２から音波通信装置５へのデータ送信経路を形成すればよいので、制御回路５０の処理負荷を軽減することができる。
【００６５】
なお、本実施形態においては、中継装置４０の制御回路５０に設けられた非同期シリアルパラレル変換部７０と、ＣＰＵ５２にて実行されるＳ１２０の処理とにより、本発明の転送先特定手段としての機能が実現され、同じく通信部６１〜６４と、ＣＰＵ５２にて実行されるＳ１５０の処理とにより、本発明の転送手段としての機能が実現され、同じくパラレルシリアル変換部７２と、Ｓ１８０の処理とにより、本発明の送信手段としての機能が実現される。
【００６６】
以上、本発明の一実施形態について説明したが、本発明は、上記実施形態に限定されるものではなく、本発明の要旨を逸脱しない範囲内にて、種々の態様をとることができる。
例えば、上記実施形態では、中継装置４０には、オーディオケーブル７を接続するための接続端子Ｔａが備えられており、中継装置４０には、この接続端子Ｔａを介して携帯情報端末２のオーディオ入出力端子２０が接続されるものとして説明した。
【００６７】
これに対し、図８に示すように、中継装置４０には、この接続端子Ｔａに代えて、ＲＳ２３２Ｃ方式の通信端子Ｔｂを設け、この通信端子Ｔｂとオーディオケーブル７との間に、オーディオケーブル７をＲＳ２３２Ｃ方式の通信ケーブル８にケーブル変換するケーブル変換器８０を設けるようにしてもよい。
【符号の説明】
【００６８】
２…携帯情報端末、４…外部装置、５…音波通信装置、６…オーディオプラグ、７…オーディオケーブル、８…通信ケーブル（ＲＳ２３２Ｃケーブル）、１２…表示部、１４…操作入力部、１６…マイク、１８…スピーカ、２０…オーディオ入出力端子、２２…アンテナ、２４…無線通信部、２６…データ入出力端子、２８…電源部、３０…制御部、３２…オーディオ入力部、３４…オーディオ出力部、３６…経路切換部、４０…中継装置、４２…シリアルデータ入出力回路、４４…整流・平滑回路、４６…切換スイッチ、５０…制御回路（マイコン）、５２…ＣＰＵ、５４…ＲＯＭ、５６…ＲＡＭ、５８…バスライン、６１〜６４…通信部、６６…切換信号出力部、７０…非同期シリアルパラレル変換部、７２…パラレルシリアル変換部、７８…クロック発生部、８０…ケーブル変換器。
【図１】
2015136009.tif 000003
【図２】
2015136009.tif 000004
【図３】
2015136009.tif 000005
【図４】
2015136009.tif 000006
【図５】
2015136009.tif 000007
【図６】
2015136009.tif 000008
【図７】
2015136009.tif 000009
【図８】
2015136009.tif 000010
【図９】
2015136009.tif 000011